(57)【要約】【課題】監視コントローラと監視モジュールとの間の通信に異常が発生したときでも、監視モジュールにより得られた監視データを保存可能にする。【解決手段】本発明の電池監視システムは、複数の電池群（３）と、複数の電池群（３）の電池電圧を監視する機能を有するものであって、監視電池セル電圧や異常処理発生情報などの保存対象となる監視データを記憶する不揮発性メモリ（９）を備えた１つ以上の監視モジュール（４）と、複数の監視モジュール（４）と通信する機能を有するものであって、監視データを不揮発性メモリ（９）に記憶させる指示信号を複数の監視モジュール（４）へ送信する監視コントローラ（５）とを備え、監視コントローラ（５）と通信しない状態あるいは通信エラーなどにより前記監視コントローラと通信できない状態が第１設定時間を越えたときに監視データを不揮発性メモリ（９）に記憶させるように構成した。【選択図】図１
2016015277.tif 000002
【特許請求の範囲】
【請求項１】
それぞれ電池セル（２）を複数接続して構成された複数の電池群（３）と、
前記複数の電池群（３）の電池電圧を監視する機能を有するものであって、監視電池セル電圧や異常処理発生情報などの保存対象となる監視データを記憶する不揮発性メモリ（９）を備えた１つ以上の監視モジュール（４）と、
前記複数の監視モジュール（４）と通信する機能を有するものであって、前記監視データを前記不揮発性メモリ（９）に記憶させる指示信号を前記複数の監視モジュール（４）へ送信する監視コントローラ（５）とを備え、
前記複数の監視モジュール（４）は、前記監視コントローラ（５）と通信しない状態あるいは通信エラーなどにより前記監視コントローラと通信できない状態が第１設定時間を越えたときに前記監視データを前記不揮発性メモリ（９）に記憶させるメモリ制御回路（１５）を備えたことを特徴とする電池監視システム。
【請求項２】
前記メモリ制御回路（１５）は、前記監視コントローラ（５）と通信しない状態あるいは通信エラーなどにより前記監視コントローラと通信できない状態が第１設定時間を越えたときに前記監視データを前記不揮発性メモリ（９）に記憶させた後、前記監視コントローラ（５）と通信しない状態が続くときには、前記監視データを前記不揮発性メモリ（９）に繰り返し記憶させる処理を実行するように構成されていることを特徴とする請求項１記載の電池監視システム。
【請求項３】
前記監視モジュール（４）に供給されるモジュール電源電圧が低下したときに、前記電池群（３）から電源を前記監視モジュール（４）に供給するように切り替える電源切替回路（１４）を備え、
前記メモリ制御回路（１５）は、前記モジュール電源電圧が低下したときに、前記監視データを前記不揮発性メモリ（９）に記憶させるように構成されていることを特徴とする請求項１記載の電池監視システム。
【請求項４】
前記メモリ制御回路（１５）は、前記モジュール電源電圧が低下したときに、前記監視データを前記不揮発性メモリ（９）に記憶させた後、前記モジュール電源電圧が低下した状態が続くときには、前記監視データを前記不揮発性メモリ（９）に繰り返し記憶させる処理を実行するように構成されていることを特徴とする請求項３記載の電池監視システム。
【請求項５】
前記複数の監視モジュール（４）は、それぞれ異なる配線基板（２０）に実装されていることを特徴とする請求項１から４のいずれか一項記載の電池監視システム。
【請求項６】
それぞれ電池セルを複数接続して構成された複数の電池群と、
前記複数の電池群の電池電圧を監視する機能を有するものであって、監視電池セル電圧や異常処理発生情報などの保存対象となる監視データを記憶する不揮発性メモリを備えた１つ以上の監視モジュールと、
前記複数の監視モジュール（４）と通信する機能を有するものであって、前記監視データを前記不揮発性メモリ（９）に記憶させる指示信号を前記複数の監視モジュール（４）へ送信する監視コントローラ（５）とを備え、
前記複数の監視モジュール（４）は、前記監視モジュール（４）に供給されるモジュール電源電圧が低下したときに、前記電池群（３）から電源を前記監視モジュール（４）に供給するように切り替える電源切替回路（１４）と、
前記モジュール電源電圧が低下したときに、前記監視データを前記不揮発性メモリ（９）に記憶させるメモリ制御回路（１５）とを備えたことを特徴とする電池監視システム。
【請求項７】
前記メモリ制御回路（１５）は、前記モジュール電源電圧が低下したときに、前記監視データを前記不揮発性メモリ（９）に記憶させた後、前記モジュール電源電圧が低下した状態が続くときには、前記監視データを前記不揮発性メモリ（９）に繰り返し記憶させる処理を実行するように構成されていることを特徴とする請求項６記載の電池監視システム。
【請求項８】
前記複数の監視モジュール（４）は、それぞれ異なる配線基板（２０）に実装されていることを特徴とする請求項６または７記載の電池監視システム。
【発明の詳細な説明】
【技術分野】
【０００１】
本発明は、電池セルを多数直列接続して構成された電池の電圧を監視する電池監視システムに関する。
【背景技術】
【０００２】
近年、ハイブリッド自動車や電気自動車等のモータ駆動に用いられる大容量で高出力の電池は、リチウムイオン２次電池やニッケル水素蓄電池等からなる電池セルを多数直列接続して構成されている。これら電池セルが過充電状態や過放電状態等の異常状態に陥らないようにするために、電池監視システムによって電池セルの電池電圧を監視している。電池監視システムの一例が特許文献１に記載されている。
【０００３】
このような電池監視システムにおいては、複数の電池セルを直列接続してなる電池群を複数備え、これら複数の電池群の電池電圧を監視する複数の監視ＩＣ（監視モジュール）を備え、これら複数の監視ＩＣと通信する監視マイコン（監視コントローラ）を備えている。この構成では、複数の電池群の電池電圧を各監視ＩＣにより監視しており、監視により得られたデータを監視ＩＣから監視マイコンへ送信している。そして、電池群に不具合が発生した場合には、監視ＩＣから送信されたセル電圧等のデータを監視マイコンにおいて解析し、監視マイコンは必要に応じて監視マイコンに接続された不揮発性メモリ（ＥＥＰＲＯＭ等）に上記データを記憶させて保存するように構成されている。
【先行技術文献】
【特許文献】
【０００４】
【特許文献１】特開２００８−３０９７４７号公報
【発明の概要】
【発明が解決しようとする課題】
【０００５】
しかし、上記従来構成の場合、監視ＩＣと監視マイコンとを接続する通信線に断線等の異常が発生したときには、監視マイコンは監視ＩＣからデータを受信できなくなる。このような通信異常時には、監視マイコンは、電池群に不具合が発生したときのセル電圧等のデータ（監視ＩＣにより検出されたデータ）を不揮発性メモリに記憶させて保存することができないという問題があった。
【０００６】
そこで、本発明の目的は、監視コントローラと監視モジュールとの間の通信に異常が発生したときでも、監視モジュールにより得られた電池電圧等の監視データを保存することができる電池監視システムを提供することにある。
【課題を解決するための手段】
【０００７】
請求項１の発明は、それぞれ電池セルを複数接続して構成された複数の電池群と、前記複数の電池群の電池電圧を監視する機能を有するものであって、監視電池セル電圧や異常処理発生情報などの保存対象となる監視データを記憶する不揮発性メモリを備えた１つ以上の監視モジュールと、前記複数の監視モジュールと通信する機能を有するものであって、前記監視データを前記不揮発性メモリに記憶させる指示信号を前記複数の監視モジュールへ送信する監視コントローラとを備え、前記複数の監視モジュールは、前記監視コントローラと通信しない状態あるいは通信エラーなどにより前記監視コントローラと通信できない状態が第１設定時間を越えたときに前記監視データを前記不揮発性メモリに記憶させるメモリ制御回路を備えたところに特徴を有するものである。
【０００８】
請求項６の発明は、それぞれ電池セルを複数接続して構成された複数の電池群と、前記複数の電池群の電池電圧を監視する機能を有するものであって、監視電池セル電圧や異常処理発生情報などの保存対象となる監視データを記憶する不揮発性メモリを備えた１つ以上の監視モジュールと、前記複数の監視モジュールと通信する機能を有するものであって、前記監視データを前記不揮発性メモリに記憶させる指示信号を前記複数の監視モジュールへ送信する監視コントローラとを備え、前記複数の監視モジュールは、前記監視モジュールに供給されるモジュール電源電圧が低下したときに、前記電池群から電源を前記監視モジュールに供給するように切り替える電源切替回路と、前記モジュール電源電圧が低下したときに、前記監視データを前記不揮発性メモリに記憶させるメモリ制御回路とを備えたところに特徴を有するものである。
【図面の簡単な説明】
【０００９】
【図１】本発明の第１実施形態を示すもので、電池監視システムの全体構成を概略的に示すブロック図
【図２】タイムチャート
【図３】電源起動時のフローチャート
【図４】電源遮断時のフローチャート
【図５】本発明の第２実施形態を示す図３相当図
【図６】本発明の第３実施形態を示す図４相当図
【図７】本発明の第４実施形態を示す図２（ｃ）相当図
【図８】本発明の第５実施形態を示す図２（ｄ）相当図
【図９】本発明の第６実施形態を示す図１相当図
【図１０】本発明の第７実施形態を示す図１相当図
【発明を実施するための形態】
【００１０】
以下、本発明の第１実施形態について、図１ないし図４を参照して説明する。図１は、本実施形態の電池監視システム１の概略構成を示すブロック図である。この図１に示すように、電池監視システム１は、複数の電池セル２を直列接続してなる電池群３を複数備え、これら複数の電池群３の電池電圧を監視する電池監視ＩＣ（監視モジュール）４を複数備え、これら複数の電池監視ＩＣ４と通信するマイコン（監視コントローラ）５を備えている。
【００１１】
複数の電池監視ＩＣ４は電池監視基板６上に配設され、マイコン５は上記電池監視基板６とは別体の監視制御基板７上に配設されている。電池監視基板６上には、複数の電池監視ＩＣ４に電源をそれぞれ供給する複数のＩＣ電源装置８と、複数の電池監視ＩＣ４によりデータがそれぞれ書き込まれる複数の外部メモリ９と、複数の電池監視ＩＣ４とマイコン５とを接続する通信線１０と、電池監視ＩＣ４と電池監視ＩＣ４とを接続する通信線１０と、各通信線１０に設けられた信号伝達素子１１とが配設されている。ＩＣ電源装置８は、例えば絶縁タイプの電源回路で構成されており、マイコン５によって電源起動または電源遮断されるように構成されている。外部メモリ９は、例えばＥＥＰＲＯＭで構成されている。信号伝達素子１１は、例えばフォトカプラーで構成されており、ＩＣ電源装置８から電源が供給されている。
【００１２】
また、監視制御基板７上には、マイコン５に電源を供給するマイコン用の電源装置１２が配設されている。マイコン用の電源装置１２は、例えば絶縁タイプの電源回路で構成されている。
【００１３】
電池監視ＩＣ４は、監視回路１３と、電源制御回路（電源切替回路）１４と、外部メモリ制御回路（メモリ制御回路）１５と、シリアル通信回路１６とを有する。監視回路１３は、電池群３の電圧を検出し、検出したデータを外部メモリ制御回路１５を介して外部メモリ９に書き込む。電源制御回路１４は、ＩＣ電源装置８の電源電圧が予め決められた第１設定値よりも低下したことを検出したときに電源低下信号（及び電源遮断信号）を外部メモリ制御回路１５へ出力する。また、電源制御回路１４は、ＩＣ電源装置８の電源電圧が予め決められた第２設定値よりも高くなったことを検出したときに電源起動信号を外部メモリ制御回路１５及びシリアル通信回路１６へ出力する。更に、電源制御回路１４は、ＩＣ電源装置８が起動されたときに、ＩＣ電源装置８から電源を電池監視ＩＣ４に供給するように切り替え、ＩＣ電源装置８の電源電圧が低下（電源遮断）したときに、電池群３から電源を電池監視ＩＣ４に供給するように切り替える。
【００１４】
シリアル通信回路１６は、マイコン５から通信データを受信したときには、通信データ受信信号を外部メモリ制御回路１５へ出力する。また、シリアル通信回路１６は、ＩＣ電源装置８の電源起動信号を受けた後、予め決められた第１設定時間が経過した後も、マイコン５から通信データを受信しないときには、通信異常信号を外部メモリ制御回路１５へ出力する。
【００１５】
次に、上記構成の動作について、図２、図３及び図４を参照して説明する。尚、図３及び図４は、電池監視ＩＣ４の制御の内容を示すフローチャートである。まず、図３を参照して、ＩＣ電源装置８が起動される場合の制御について説明する。
【００１６】
図３のステップＳ１０においては、電池監視ＩＣ４により、ＩＣ電源装置８の電源起動を検出したか否かが判断される。この場合、例えば、電池監視ＩＣ４の電源制御回路１４により、ＩＣ電源装置８の電源電圧が第２設定値よりも高くなったことを検出したときに電源が起動されたと判断する。上記ステップＳ１０において、ＩＣ電源装置８の起動が検出されないときには、「ＮＯ」へ進み、ステップＳ１０の判断を繰り返す。
【００１７】
マイコン５によってＩＣ電源装置８の電源を起動する処理が実行されると、図２（ａ）の時刻ｔ１にて、ＩＣ電源装置８の電源電圧が第２設定値よりも高くなることから、上記ステップＳ１０において、「ＹＥＳ」へ進み、ステップＳ３０へ進む。このステップＳ３０では、電池監視ＩＣ４は、電池群３からの電源を止めて、ＩＣ電源装置８からの電源を取り込むように切り替える（電源系を切り替える処理）。
【００１８】
続いて、ステップＳ４０へ進み、電池監視ＩＣ４は、マイコン５から送信された通信信号があるか否かを判断する。ここで、通信信号がある場合には、「ＹＥＳ」へ進み、ステップＳ５０へ進み、通信信号エラーがあるか否かを判断する。
【００１９】
上記ステップＳ５０において、通信信号エラーが無い場合には、「ＹＥＳ」へ進み、ステップＳ６０へ進み、電池監視ＩＣ４は、電池群３の電圧等を監視する通常監視動作を実行する。この場合、電池監視ＩＣ４は、監視電池セル電圧や異常処理発生情報などの保存対象となる監視データを取得し、電池監視ＩＣ４内のＲＡＭ等のメモリに一時的に記憶しておく。
【００２０】
そして、ステップＳ７０へ進み、電池監視ＩＣ４は、マイコン５から監視データを外部メモリ９に書き込む書き込み命令信号を受信したか否かを判断する。ここで、図２（ａ）の時刻ｔ２にて、書き込み命令信号（例えばハイレベル信号）を受信したときには、「ＹＥＳ」へ進み、ステップＳ８０へ進み、電池監視ＩＣ４の外部メモリ制御回路１５により、監視データを外部メモリ９に書き込む処理を実行する（図２（ａ）の時刻ｔ２にて、外部メモリ９への書き込み処理信号を例えばハイレベルにする）。この後は、ステップＳ４０へ戻り、上述した処理を繰り返す。尚、本実施形態においては、書き込み命令信号及び書き込み処理信号をハイアクティブ設定するように制御したが、これに限られるものではなく、例えばロウアクティブ設定しても良く、信号のレベル設定は任意である。
【００２１】
また、上記ステップＳ７０において、書き込み命令信号を受信しないときは、「ＮＯ」へ進み、上記ステップＳ９０へ進む。このステップＳ９０では、ＩＣ電源装置８の電源電圧が第１設定値よりも低くなったか否かを判断する。ここで、電源電圧が第１設定値よりも低くないときには、「ＮＯ」へ進み、ステップＳ４０へ戻り、上述した処理を繰り返す。
【００２２】
一方、上記ステップＳ９０において、図２（ａ）の時刻ｔ３に示すように、電源電圧が第１設定値よりも低くなったときには、「ＹＥＳ」へ進み、ステップＳ１００へ進む。このステップＳ１００では、電池監視ＩＣ４は、ＩＣ電源装置８からの電源を止めて、電池群３からの電源を取り込むように切り替える（電源系を切り替える処理）。続いて、ステップＳ１１０へ進み、電池監視ＩＣ４の外部メモリ制御回路１５により、監視データを外部メモリ９に書き込む処理を実行する（図２（ａ）の時刻ｔ３にて、外部メモリ９への書き込み処理信号をハイレベルにする）。この後は、ステップＳ１０へ戻り、上述した処理を繰り返す。
【００２３】
また、上記ステップＳ４０において、通信信号を受信しない場合には、「ＮＯ」へ進み、ステップＳ１２０へ進む。このステップＳ１２０では、通信信号を受信しない時点から第１設定時間が経過したか否かを判断する。ここで、第１設定時間が経過しないときには、「ＮＯ」へ進み、ステップＳ４０へ戻る。
【００２４】
上記ステップＳ１２０において、図２（ｂ）の時刻ｔ４にて、第１設定時間が経過したときには、「ＹＥＳ」へ進み、ステップＳ１３０へ進み、電池監視ＩＣ４の外部メモリ制御回路１５により、監視データを外部メモリ９に書き込む処理を実行する（図２（ｂ）の時刻ｔ４にて、外部メモリ９への書き込み処理信号をハイレベルにする）。この後は、ステップＳ４０へ戻る。この場合、通信信号を受信しない状態が継続するときには、第１設定時間が経過する毎に、ステップＳ１３０の処理が実行され、監視データが外部メモリ９に書き込まれるようになっている。尚、ステップＳ４０にて、通信信号を受信すると、上記第１設定時間の経過を計時するタイマをリセットするようになっている。
【００２５】
尚、図２（ｃ）は、マイコン５から書き込み命令信号が２回（時刻ｔ５、ｔ６で）送信され、監視データを外部メモリ９に書き込む処理を実行し（図２（ｃ）の時刻ｔ５、ｔ６にて、外部メモリ９への書き込み処理信号をハイレベルにし）、その後、書き込み命令信号が送信されない状態が第１設定時間続き、時刻ｔ７で、監視データを外部メモリ９に書き込む処理を実行する（図２（ｃ）の時刻ｔ７にて、外部メモリ９への書き込み処理信号をハイレベルにする）動作を示している。
【００２６】
また、上記ステップＳ５０において、通信信号エラーがある場合には、「ＮＯ」へ進み、ステップＳ１２０へ進み、通信信号エラーがあった時点から第１設定時間が経過したか否かを判断する。この後は、上記した通信信号を受信しない場合の処理と同じ処理が実行される。
【００２７】
次に、図４を参照して、ＩＣ電源装置８の電源が遮断される場合の制御について説明する。まず、図４のステップＳ２１０において、ＩＣ電源装置８の電源が遮断されたか否かを判断する。この場合、電池監視ＩＣ４の電源制御回路１４により、ＩＣ電源装置８の電源電圧が第１設定値よりも低くなったか否かを判断する。ここで、電源電圧が第１設定値よりも低くないときには、「ＮＯ」へ進み、ステップＳ２２０へ進む。
【００２８】
このステップＳ２２０では、電池監視ＩＣ４は、電池群３の電圧等を監視する通常監視動作を実行する。この場合、電池監視ＩＣ４は、監視電池セル電圧や異常処理発生情報などの保存対象となる監視データを取得し、電池監視ＩＣ４内のＲＡＭ等のメモリに一時的に記憶しておく。
【００２９】
そして、ステップＳ２３０へ進み、電池監視ＩＣ４は、マイコン５から監視データを外部メモリ９に書き込む書き込み命令信号を受信したか否かを判断する。ここで、書き込み命令信号を受信したときには、「ＹＥＳ」へ進み、ステップＳ２４０へ進み、通信信号エラーが無いか否かを判断する。ここで、通信信号エラーが無い場合には、「ＹＥＳ」へ進み、ステップＳ２５０へ進み、電池監視ＩＣ４の外部メモリ制御回路１５により、監視データを外部メモリ９に書き込む処理を実行する。この後は、ステップＳ２１０へ戻り、上述した処理を繰り返す。
【００３０】
また、上記ステップＳ２３０において、書き込み命令信号を受信しないときには、「ＮＯ」へ進み、ステップＳ２６０へ進み、書き込み命令信号を受信しない時点から第１設定時間が経過したか否かを判断する。ここで、第１設定時間が経過しないときには、「ＮＯ」へ進み、ステップＳ２１０へ戻る。また、上記ステップＳ２６０において、第１設定時間が経過したときには、「ＹＥＳ」へ進み、ステップＳ２７０へ進み、電池監視ＩＣ４の外部メモリ制御回路１５により、監視データを外部メモリ９に書き込む処理を実行する。この後は、ステップＳ２１０へ戻る。この場合、書き込み命令信号を受信しない状態が継続するときには、第１設定時間が経過する毎に、ステップＳ２７０の処理が実行され、監視データが外部メモリ９に書き込まれるようになっている。尚、ステップＳ２３０にて、書き込み命令信号を受信すると、上記第１設定時間の経過を計時するタイマをリセットするようになっている。
【００３１】
また、上記ステップＳ２４０において、通信信号エラーがある場合には、「ＮＯ」へ進み、ステップＳ２６０へ進み、通信信号エラーがあった時点から第１設定時間が経過したか否かを判断する。この後は、上記した書き込み命令信号を受信しない場合の処理と同じ処理が実行される。
【００３２】
一方、上記ステップＳ２１０において、図２（ｄ）の時刻ｔ１１にて、ＩＣ電源装置８の電源電圧が第１設定値よりも低くなり、電源遮断が検出されると、「ＹＥＳ」へ進み、ステップＳ２８０へ進む。このステップＳ２８０では、電池監視ＩＣ４は、ＩＣ電源装置８からの電源を止めて、電池群３からの電源を取り込むように切り替える。続いて、ステップＳ２９０へ進み、ＩＣ電源装置８の電源が遮断された時点ｔ１１から第２設定時間が経過したか否かを判断する。ここで、第２設定時間が経過しないときには、「ＮＯ」へ進み、ステップＳ２９０へ戻る。
【００３３】
また、上記ステップＳ２９０において、図２（ｄ）の時刻ｔ１２にて、電源遮断後から第２設定時間が経過したときには、「ＹＥＳ」へ進み、ステップＳ３００へ進む。このステップＳ３００では、電池監視ＩＣ４の外部メモリ制御回路１５により、監視データを外部メモリ９に書き込む処理を実行する（図２（ｄ）の時刻ｔ１２にて、外部メモリ９への書き込み処理信号をハイレベルにする）。
【００３４】
この後は、制御を終了し、ＩＣ電源装置８の電源が起動されるのを待つ（即ち、図３のステップＳ１０へ戻る）。尚、ＩＣ電源装置８の電源が遮断された状態が継続するときには、第２設定時間が経過する毎に、ステップＳ３００の処理を実行し、監視データを外部メモリ９に書き込むように構成されている。
【００３５】
上記した構成の本実施形態においては、監視データを記憶する外部メモリ９を備えた１つ以上の電池監視ＩＣ４と、複数の電池監視ＩＣ４と通信する機能を有するものであって、監視データを外部メモリ９に記憶させる指示信号を前記複数の電池監視ＩＣ４へ送信するマイコン５とを備え、電池監視ＩＣ４は、マイコン５と通信しない状態あるいは通信エラーなどにより前記監視コントローラと通信できない状態が第１設定時間を越えたときに監視データを外部メモリ９に記憶させるメモリ制御回路１５を備えた。この構成によれば、マイコン５と電池監視ＩＣ４との間の通信に異常が発生したときでも、電池監視ＩＣ４により得られた電池電圧等の監視データを外部メモリ９に保存することができる。この結果、外部メモリ９に記憶されている監視データに基づいて異常発生の原因等の解析作業を実行し易くなる。
【００３６】
また、上記実施形態では、メモリ制御回路１５は、マイコン５と通信しない状態あるいは通信エラーなどによりマイコン５と通信できない状態が第１設定時間を越えたときに監視データを外部メモリ９に記憶させた後、マイコン５と通信しない状態が続くときには、監視データを外部メモリ９に繰り返し記憶させる処理を実行するように構成されている。この構成によれば、マイコン５と通信しない状態またはマイコン５と通信できない状態が続くときに、監視データを外部メモリ９に確実に記憶させることができると共に、繰り返し記憶させる（即ち、時系列的に異なる時期の監視データを複数記憶させる）ことができる。
【００３７】
また、上記実施形態では、電池監視ＩＣ４に供給される電源電圧が低下したときに、電池群３から電源を電池監視ＩＣ４に供給するように切り替える電源制御回路１４を備え、外部メモリ制御回路１５は、電源電圧が低下したときに、監視データを外部メモリ９に記憶させるように構成されている。この構成によれば、ＩＣ電源装置８の電源電圧が低下したときに、監視データを外部メモリ９に確実に記憶させることができる。
【００３８】
更に、上記実施形態では、外部メモリ制御回路１５は、ＩＣ電源装置８の電源電圧が低下したときに、監視データを外部メモリ９に記憶させた後、電源電圧が低下した状態が続くときには、監視データを外部メモリ９に繰り返し記憶させる処理を実行するように構成されている。この構成によれば、ＩＣ電源装置８の電源電圧が低下した状態が続くときに、時系列的に異なる時期の監視データを複数記憶させることができる。
【００３９】
（第２実施形態）
図５は、本発明の第２実施形態を示すものである。尚、第１実施形態と同一構成には、同一符号を付している。この第２実施形態では、第１実施形態の図３のフローチャートのステップＳ１００とステップＳ１１０の間に、ステップＳ４１０の判断処理を加入した。
【００４０】
具体的には、図５のステップＳ１００にて電源系を切り替える処理を実行した後、ステップＳ４１０へ進み、ＩＣ電源装置８の電源電圧が低下した時点から第２設定時間が経過したか否かを判断する。ここで、第２設定時間が経過しないときには、「ＮＯ」へ進み、ステップＳ４１０へ戻る。上記ステップＳ４１０において、第２設定時間が経過したときには、「ＹＥＳ」へ進み、ステップＳ１１０へ進み、電池監視ＩＣ４の外部メモリ制御回路１５により、監視データを外部メモリ９に書き込む処理を実行する。
【００４１】
尚、上述した以外の第２実施形態の構成は、第１実施形態の構成と同じ構成となっている。従って、第２実施形態においても、第１実施形態とほぼ同じ作用効果を得ることができる。
【００４２】
（第３実施形態）
図６は、本発明の第３実施形態を示すものである。尚、第１実施形態と同一構成には、同一符号を付している。この第３実施形態では、第１実施形態の図４のフローチャートのステップＳ３００の後に、ステップＳ５１０の判断処理を加入した。
【００４３】
具体的には、ステップＳ３００にて監視データを外部メモリ９に書き込む処理を実行した後、ステップＳ５１０へ進み、監視データを外部メモリ９に書き込んだ回数（書き込み回数）が予め決められた設定回数に達したか否かを判断する。この場合、設定回数としては、３回（今回、前回、前々回）等の適切な回数をユーザーが設定可能なようになっている。尚、監視データを外部メモリ９に書き込んだ回数としては、図６（図４）中のステップＳ２５０、ステップＳ２７０及びステップＳ３００と、図３中のステップＳ８０、ステップＳ１１０及びステップＳ１３０の各書き込み処理を実行したときの回数がカウント（積算）される構成となっている。
【００４４】
そして、上記ステップＳ５１０にて、監視データを外部メモリ９に書き込んだ回数が設定回数に達していないときには、「ＮＯ」へ進み、ステップＳ２９０へ戻り、上述した処理を繰り返す。また、ステップＳ５１０にて、監視データを外部メモリ９に書き込んだ回数が設定回数に達したときには、「ＹＥＳ」へ進み、制御を終了し、ＩＣ電源装置８の電源が起動されるのを待つ（即ち、図３のステップＳ１０へ戻る）。この場合、ＩＣ電源装置８の電源が遮断された状態が継続するときには、第２設定時間が経過する毎に、ステップＳ３００の処理が実行され、監視データが外部メモリ９に書き込まれるようになっているが、監視データを外部メモリ９に書き込んだ回数が設定回数に達したときには、それ以後は、外部メモリ９への書き込みは実行されないようになっている。
【００４５】
尚、上述した以外の第３実施形態の構成は、第１実施形態の構成と同じ構成となっている。従って、第３実施形態においても、第１実施形態とほぼ同じ作用効果を得ることができる。
【００４６】
（第４実施形態）
図７は、本発明の第４実施形態を示すものである。尚、第１実施形態と同一構成には、同一符号を付している。第１実施形態では、マイコン５と電池監視ＩＣ４との間の通信が遮断された状態が第１設定時間以上経過したときに、監視データを外部メモリ９に書き込む処理を実行するようにしたが、第４実施形態では、上記監視データを外部メモリ９に書き込む処理を実行した後も、通信遮断状態が更に継続するときには、上記監視データを外部メモリ９に書き込む処理を実行した後、第３設定時間が経過する毎に、監視データを外部メモリ９に書き込む処理を実行するようにした。
【００４７】
尚、上記第４実施形態の場合、第３設定時間を、第１設定時間と同じ時間としても良いし、第１設定時間よりも長い時間、または、第１設定時間よりも短い時間としても良い。また、第３設定時間の長さを徐々に長くしたり、徐々に短くしたりするように可変できる構成としても良い。第３設定時間の長さの設定、長さの可変設定、監視データを外部メモリ９に書き込む処理の実行回数等の設定は、ユーザーにより適宜設定できるように構成することが好ましい。
【００４８】
（第５実施形態）
図８は、本発明の第５実施形態を示すものである。尚、第１実施形態と同一構成には、同一符号を付している。第１実施形態では、ＩＣ電源装置８の電源電圧が低下したときに、監視データを外部メモリ９に書き込む処理を実行するように構成したが、第５実施形態では、上記監視データを外部メモリ９に書き込む処理を実行した後も、電源電圧が低下した状態が更に継続するときには、上記監視データを外部メモリ９に書き込む処理を実行した後、第４設定時間が経過する毎に、監視データを外部メモリ９に書き込む処理を実行するようにした。
【００４９】
尚、上記第５実施形態の場合、第４設定時間を、第２設定時間と同じ時間としても良いし、第２設定時間よりも長い時間、または、第２設定時間よりも短い時間としても良い。また、第４設定時間の長さを徐々に長くしたり、徐々に短くしたりするように可変できる構成としても良い。第４設定時間の長さの設定、長さの可変設定、監視データを外部メモリ９に書き込む処理の実行回数等の設定は、ユーザーにより適宜設定できるように構成することが好ましい。
【００５０】
（第６実施形態）
図９は、本発明の第６実施形態を示すものである。尚、第１実施形態と同一構成には、同一符号を付している。この第６実施形態では、電池監視基板６を複数の分割電池監視基板２０に分割し、各分割電池監視基板２０上に、各１個の電池監視ＩＣ４、ＩＣ電源装置８及び外部メモリ９を実装するように構成した。
【００５１】
上述した以外の第６実施形態の構成は、第１実施形態の構成と同じ構成となっている。従って、第６実施形態においても、第１実施形態とほぼ同じ作用効果を得ることができる。特に、第６実施形態によれば、各１個の電池監視ＩＣ４、ＩＣ電源装置８及び外部メモリ９を各分割電池監視基板２０上に分散実装するように構成したので、１個の電池監視ＩＣ４（またはＩＣ電源装置８または外部メモリ９）が故障した場合、その故障した電池監視ＩＣ４が実装されている分割電池監視基板２０を交換するだけで済む。
【００５２】
（第７実施形態）
図１０は、本発明の第７実施形態を示すものである。尚、第１実施形態と同一構成には、同一符号を付している。この第７実施形態では、外部メモリ９の代わりに、内部不揮発性メモリ２１を、電池監視ＩＣ４の中に内蔵させるように構成した。上記内部不揮発性メモリ２１としては、例えばＥＥＰＲＯＭを用いることが好ましい。尚、上述した以外の第７実施形態の構成は、第１実施形態の構成と同じ構成となっている。従って、第７実施形態においても、第１実施形態とほぼ同じ作用効果を得ることができる。
【００５３】
また、上記した第１ないし第７実施形態については、適宜組み合わせて種々の実施形態を実現するように構成しても良い。更に、各実施形態は、その他の様々な形態で実施されることが可能であり、発明の要旨を逸脱しない範囲で、種々の省略、置き換え、変更を行うことができる。
【符号の説明】
【００５４】
図面中、１は電池監視システム、２は電池セル、３は電池群、４は電池監視ＩＣ（監視モジュール）、５はマイコン（監視コントローラ）、８はＩＣ電源装置、９は外部メモリ（不揮発性メモリ）、１３は監視回路、１４は電源制御回路、１５は外部メモリ制御回路、１６はシリアル通信回路、２０は分割電池監視基板、２１は内部不揮発性メモリを示す。
【図１】
2016015277.tif 000003
【図２】
2016015277.tif 000004
【図３】
2016015277.tif 000005
【図４】
2016015277.tif 000006
【図５】
2016015277.tif 000007
【図６】
2016015277.tif 000008
【図７】
2016015277.tif 000009
【図８】
2016015277.tif 000010
【図９】
2016015277.tif 000011
【図１０】
2016015277.tif 000012
【手続補正書】
【提出日】平成27年3月9日(2015.3.9)
【手続補正１】
【補正対象書類名】特許請求の範囲
【補正対象項目名】請求項１
【補正方法】変更
【補正の内容】
【請求項１】
それぞれ電池セル（２）を複数接続して構成された複数の電池群（３）の電池電圧を監視する機能を有するものであって、監視電池セル電圧や異常処理発生情報などの保存対象となる監視データを記憶する不揮発性メモリ（９）を備えた１つ以上の監視モジュール（４）と、
前記複数の監視モジュール（４）と通信する機能を有するものであって、前記監視データを前記不揮発性メモリ（９）に記憶させる指示信号を前記複数の監視モジュール（４）へ送信する監視コントローラ（５）とを備え、
前記複数の監視モジュール（４）は、前記監視コントローラ（５）と通信しない状態あるいは通信エラーなどにより前記監視コントローラと通信できない状態が第１設定時間を越えたときに前記監視データを前記不揮発性メモリ（９）に記憶させるメモリ制御回路（１５）を備えたことを特徴とする電池監視システム。
【手続補正２】
【補正対象書類名】特許請求の範囲
【補正対象項目名】請求項６
【補正方法】変更
【補正の内容】
【請求項６】
それぞれ電池セルを複数接続して構成された複数の電池群の電池電圧を監視する機能を有するものであって、監視電池セル電圧や異常処理発生情報などの保存対象となる監視データを記憶する不揮発性メモリを備えた１つ以上の監視モジュールと、
前記複数の監視モジュール（４）と通信する機能を有するものであって、前記監視データを前記不揮発性メモリ（９）に記憶させる指示信号を前記複数の監視モジュール（４）へ送信する監視コントローラ（５）とを備え、
前記複数の監視モジュール（４）は、前記監視モジュール（４）に供給されるモジュール電源電圧が低下したときに、前記電池群（３）から電源を前記監視モジュール（４）に供給するように切り替える電源切替回路（１４）と、
前記モジュール電源電圧が低下したときに、前記監視データを前記不揮発性メモリ（９）に記憶させるメモリ制御回路（１５）とを備えたことを特徴とする電池監視システム。
【手続補正３】
【補正対象書類名】明細書
【補正対象項目名】０００７
【補正方法】変更
【補正の内容】
【０００７】
請求項１の発明は、それぞれ電池セルを複数接続して構成された複数の電池群の電池電圧を監視する機能を有するものであって、監視電池セル電圧や異常処理発生情報などの保存対象となる監視データを記憶する不揮発性メモリを備えた１つ以上の監視モジュールと、前記複数の監視モジュールと通信する機能を有するものであって、前記監視データを前記不揮発性メモリに記憶させる指示信号を前記複数の監視モジュールへ送信する監視コントローラとを備え、前記複数の監視モジュールは、前記監視コントローラと通信しない状態あるいは通信エラーなどにより前記監視コントローラと通信できない状態が第１設定時間を越えたときに前記監視データを前記不揮発性メモリに記憶させるメモリ制御回路を備えたところに特徴を有するものである。
【手続補正４】
【補正対象書類名】明細書
【補正対象項目名】０００８
【補正方法】変更
【補正の内容】
【０００８】
請求項６の発明は、それぞれ電池セルを複数接続して構成された複数の電池群の電池電圧を監視する機能を有するものであって、監視電池セル電圧や異常処理発生情報などの保存対象となる監視データを記憶する不揮発性メモリを備えた１つ以上の監視モジュールと、前記複数の監視モジュールと通信する機能を有するものであって、前記監視データを前記不揮発性メモリに記憶させる指示信号を前記複数の監視モジュールへ送信する監視コントローラとを備え、前記複数の監視モジュールは、前記監視モジュールに供給されるモジュール電源電圧が低下したときに、前記電池群から電源を前記監視モジュールに供給するように切り替える電源切替回路と、前記モジュール電源電圧が低下したときに、前記監視データを前記不揮発性メモリに記憶させるメモリ制御回路とを備えたところに特徴を有するものである。